(57)【要約】【課題】来場者のグループ判別および、同一グループ内での優先順位の判別が行えるとともに、来場者ごとの撮影画角の最適化および撮影シーンの最適化が図られた画像をユーザに提供できる。【解決手段】カメラ１６の撮影ポイント近傍にはアンテナ１８が配置され、来場者の撮影ポイント内への到来に伴い来場者所有のＩＤタグ１２のＩＤを読み取り、センター２６に送信する。アトラクション管理装置２２は、撮影ポイント通過中の来場者の位置をＩＤの読み取りに伴って検知して位置情報信号を生成し、これをセンター２６に送信する。これらＩＤおよび位置情報信号を受けて、センター２６はカメラ１６に対し画角およびフォーカスなどを調整させる。とくに、撮影画角内で優先順位が最も高い来場者が検出され、当該来場者に対してフォーカスが合わせられる。【選択図】  図１
2005159558.tif 000002
【特許請求の範囲】
【請求項１】
来場者個々に与えられる個別情報を発生する個別情報発生手段と、
他の来場者とのグループ判別を行なうために、来場者間の関連付けを示すグループ情報を発生するグループ情報発生手段と、
前記個別情報およびグループ情報を含む識別情報を電磁的に読み取り可能な形態に変換する情報変換手段と、
前記情報変換手段によって変換された識別情報を識別情報記録媒体に記録する情報書き込み手段と、を備えたことを特徴とする識別情報記録装置。
【請求項２】
来場者の優先付けを行なうための優先順位情報を、前記情報書き込み手段によって前記識別情報記録媒体に記録することを特徴とする請求項１に記載された識別情報記録装置。
【請求項３】
来場者個々に与えられる個別情報を発生する工程と、
他の来場者とのグループ判別を行なうために、来場者間の関連付けを示すグループ情報を発生する工程と、
前記個別情報およびグループ情報を含む識別情報を電磁的に読み取り可能な形態に変換する工程と、
電磁的に読み取り可能な形態に変換された識別情報を、識別情報記録媒体に記録する工程と、を備えたことを特徴とする識別情報記録方法。
【請求項４】
来場者の優先付けを行なうための優先順位情報を、前記識別情報とともに前記識別情報記録媒体に記録する工程を備えたことを特徴とする請求項３に記載された識別情報記録方法。
【請求項５】
来場者個々に与えられる個別情報および、他の来場者とのグループ判別を行なうために来場者間の関連付けを示すグループ情報を、識別情報記録媒体から識別情報を読み取ることによって取得する情報読み取り手段と、
撮影目的で所定の場所に設置され、被写体の光学像を撮像する撮像手段と、
前記識別情報記録媒体を付与された複数の来場者から前記情報読み取り手段によって同一グループの来場者を認識し、該同一グループの来場者が収まるように撮影画角を決定する画角制御手段と、を備えたことを特徴とする撮影システム。
【請求項６】
前記情報読み取り手段では、前記識別情報記録媒体から識別情報を読み取ることによって同一グループ内における来場者の優先付けを行う優先順位情報が取得されるとともに、
前記撮影システムは、前記情報読み取り手段によって同一グループ内の来場者のうち優先順位が最も高い来場者を認識し、該来場者にフォーカスをあわせるフォーカス制御手段を含むことを特徴とする請求項５に記載された撮影システム。
【請求項７】
前記撮影手段によって撮影可能な画角内の音声を集音する集音手段と、
前記集音手段によって集音された音声レベルを検出し、該音声レベルの変動に基づき、前記撮影手段による撮影画像の記録タイミングを制御する撮影制御手段と、が設けられていることを特徴とする請求項５または請求項６に記載された撮影システム。
【請求項８】
前記識別情報記録媒体が付与された来場者の心拍数および脈拍の少なくとも一方を測定する測定手段と、
前記測定手段によって測定された心拍数および脈拍の少なくとも一方の変動に基づき、前記撮影手段による撮影画像の記録タイミングを制御する制御手段と、が設けられていることを特徴とする請求項５または請求項６に記載された撮影システム。
【請求項９】
来場者個々に与えられる個別情報を、来場者に付与された識別情報記録媒体から識別情報を読み取ることによって取得する情報読み取り手段と、
撮影目的で所定の場所に設置され、被写体の光学像を撮像する撮像手段と、
前記撮影手段によって撮影可能な画角内の音声を集音する集音手段と、
前記集音手段によって集音された音声レベルを検出し、該音声レベルの変動に基づき、前記撮影手段による撮影画像の記録タイミングを制御する撮影制御手段と、が設けられていることを特徴とする撮影システム。
【請求項１０】
来場者個々に与えられる個別情報を、来場者に付与された識別情報記録媒体から識別情報を読み取ることによって取得する情報読み取り手段と、
撮影目的で所定の場所に設置され、被写体の光学像を撮像する撮像手段と、
前記識別情報記録媒体が付与された来場者の心拍数および脈拍の少なくとも一方を測定する測定手段と、
前記測定手段によって測定された心拍数および脈拍の少なくとも一方の変動に基づき、前記撮影手段による撮影画像の記録タイミングを制御する制御手段と、が設けられていることを特徴とする撮影システム。
【請求項１１】
請求項５ないしは請求項１０のいずれか１項に記載された撮影システムと、前記撮影システムによって取得された画像を来場者に提供する画像出力手段と、を備えたことを特徴とする画像提供システム。
【発明の詳細な説明】
【技術分野】
【０００１】
本発明は識別情報記録装置および方法ならびに撮影システムに係り、特にテーマパークや遊園地などにおいて好適に設置され、被写体を撮影し、その画像を来場者の要求に応じて提供するサービスの実現に好適な識別情報記録装置および方法ならびに撮影システムに関する。
【背景技術】
【０００２】
近年は、所定の場所に設置されたデジタルカメラなどによって来場者の表情を撮影し、来場者からの要求に応じてその画像をその場でプリントして来場者に提供する撮影システム（デジタル撮影プリントシステム）が多く設置されている。このシステムによれば、来場者による撮影の手間を省くことができるほか、来場者が撮影できないような特殊な場所に設置されたカメラによって撮影がなされるので、提供された写真は来場者にとって大変貴重な画像となる。
【０００３】
このような撮影システムでは、従来、来場者個々に識別装置を付与して識別装置と撮影装置，画像出力（プリンタ）装置間で通信を行なうことにより撮影制御を行なう提案がなされている（特許文献１，２参照）。また、個々の来場者に対して識別手段である識別情報記録媒体（無線タグなど）をテーマパークなどの入場段階で付与して撮影制御を行なうとともに、来場者の同伴者に対しては、来場者と同伴者同士とで同一ＩＤにて管理し来場者の便宜を図る技術も知られている（特許文献３参照）。同文献３に開示されたサービスシステムによれば、無線タグを付与された来場者がカメラの撮影ポイント（撮影可能範囲）に進入したことを、撮影ポイントに設置された無線タグ検出アンテナにて認識し、その来場者の撮影が行なわれる。無線タグのＩＤは同伴者には同一ＩＤが付与され、同伴者全員がまとまっての撮影もできる。撮影によって得られた画像はＩＤと関連付けてサーバにファイルされ、来場者が退園するときにこのＩＤをもとに当該画像をプリントなどして来場者に提供する。
【特許文献１】特開２００１−１４８８２２号公報
【特許文献２】特開２００１−１７７７５０号公報
【特許文献３】特開２００２−４１７０３号公報
【発明の開示】
【発明が解決しようとする課題】
【０００４】
しかし、同文献３に開示された技術では、来場者の撮影は撮影ポイントへの来場者の進入にともなって一定のタイミングでのみ行なわれているものであり、撮影画角が最適化されていない欠点があった。また、撮影画角が常時固定であり、来場者に対するサービスが満足されない問題があった。この問題は、来場者の同伴者がいる場合などに画角やフォーカスをあわせる対象を複数の来場者から選定できないことに起因する。
【０００５】
また、無線タグの登録は入場時のみに限定されているために、たとえば遅刻などで後から同伴者が追加となった場合には、来場者が一旦入場口まで戻る必要があるなど、来場者の行動が制限されてしまう不具合があった。
【０００６】
本発明はこのような事情に鑑みてなされたもので、来場者のグループ判別および、同一グループ内での優先順位の判別が行えるとともに、来場者ごとの撮影画角の最適化および撮影シーンの最適化が図れる識別情報記録装置および方法ならびに撮影システムを提供することを目的とする。
【課題を解決するための手段】
【０００７】
本発明は前記目的を達成するために、来場者個々に与えられる個別情報を発生する個別情報発生手段と、他の来場者とのグループ判別を行なうために、来場者間の関連付けを示すグループ情報を発生するグループ情報発生手段と、前記個別情報およびグループ情報を含む識別情報を電磁的に読み取り可能な形態に変換する情報変換手段と、前記情報変換手段によって変換された識別情報を識別情報記録媒体に記録する情報書き込み手段と、を備えたことを特徴としている。
【０００８】
本発明によれば、個別情報とともにグループ情報を識別情報として識別情報記録媒体に記録する。グループ情報は、たとえば来場者同士が同一のグループか否かといった関連付けを示すものである。これにより、個別情報とは別の関連情報を付与して来場者間の関連付けが行なえるので、たとえばテーマパークなどで来場者に識別情報記録媒体を付与すれば、多数の来場者の中から家族連れなどの来場者の同伴者に対して同一グループか否かのグループ判別が行える。
【０００９】
ここで、「識別情報記録媒体」とは、識別情報が視認可能に記録された識別片、識別情報が光学読取可能に記録された識別片、識別情報が磁気によって記録・再生可能である識別片、識別情報が光磁気によって記録・再生可能である識別片、識別情報が光によって記録・再生可能である識別片、または識別情報が電子的に記録・再生可能である識別片、もしくはこれらの少なくとも２つを複合した複合識別片などが挙げられる。
【００１０】
一方「グループ情報」とは、グループ化する際に用いられる情報であり、たとえばグループごとに割り振られた番号や符号などが挙げられる。
【００１１】
また、「電磁的に読み取り可能」とは、光学的、磁気的、光磁気的、電子的、もしくはこれらの少なくとも２つを複合して用いた読み取り手段を含む広い意味で用いられるものとする。
【００１２】
請求項２に記載された本発明によれば、来場者の優先付けを行なうための優先順位情報を、前記情報書き込み手段によって前記識別情報記録媒体に記録するので、来場者の同伴者に対して優先順位の判別が行える。これにより、たとえばテーマパークなどで来場者に識別情報記録媒体を付与すれば、多数の来場者の中から家族連れなどの同一グループ内で同伴者の優先順位付けが可能となる。
【００１３】
なお、「優先順位情報」とは、優先順位付けをする際に用いられる情報であり、優先順位に従って割り振られた番号や符号などが例として挙げられる。
【００１４】
請求項３に記載された本発明にかかる識別情報記録方法は、前記目的を達成するために、来場者個々に与えられる個別情報を発生する工程と、他の来場者とのグループ判別を行なうために、来場者間の関連付けを示すグループ情報を発生する工程と、前記個別情報およびグループ情報を含む識別情報を電磁的に読み取り可能な形態に変換する工程と、電磁的に読み取り可能な形態に変換された識別情報を、識別情報記録媒体に記録する工程と、を備えたことを特徴としている。
【００１５】
請求項４に記載された本発明にかかる識別情報記録方法のさらに他の方法は、来場者の優先付けを行なうための優先順位情報を、識別情報とともに識別情報記録媒体に記録する工程を備えたことを特徴としている。
【００１６】
請求項５に記載された本発明にかかる撮影システムは、前記目的を達成するために、来場者個々に与えられる個別情報および、他の来場者とのグループ判別を行なうために来場者間の関連付けを示すグループ情報を、識別情報記録媒体から識別情報を読み取ることによって取得する情報読み取り手段と、撮影目的で所定の場所に設置され、被写体の光学像を撮像する撮像手段と、前記識別情報記録媒体を付与された複数の来場者から前記情報読み取り手段によって同一グループの来場者を認識し、該同一グループの来場者が収まるように撮影画角を決定する画角制御手段と、を備えたことを特徴としている。
【００１７】
請求項５に記載された本発明によれば、情報読み取り手段によって取得される個別情報およびグループ情報から、同一グループの来場者を認識し、これら同一グループの来場者が収まるように撮影画角が決定される。これによって、多数の来場者の中から家族連れなどの同伴者に対して画角を最適に決定でき、撮影画像の最適化に貢献できる。
【００１８】
ここで「撮影」とは、動画や静止画の撮影を問わず、これらを含む広い意味で用いられるものとする。
【００１９】
請求項６に記載された本発明によれば、情報読み取り手段では、識別情報記録媒体から識別情報を読み取ることによって同一グループ内における来場者の優先付けを行う優先順位情報が取得されるとともに、撮影システムは、情報読み取り手段によって同一グループ内の来場者のうち優先順位が最も高い来場者を認識し、該来場者にフォーカスをあわせるフォーカス制御手段を含むので、フォーカスに対する自由度を向上して来場者へのサービスを向上できる。
【００２０】
なお、グループ情報や優先順位情報を来場者によって追加できる情報追加手段をテーマパーク内の随所に設ければ、遅刻した同伴者によってグループを追加したい場合でも来場者自身でこれら情報の再設定が可能となる。
【００２１】
請求項７に記載された本発明によれば、この撮影手段によって撮影可能な画角内の音声を集音する集音手段と、集音手段によって集音された音声レベルを検出し、音声レベルの変動に基づき、撮影手段による撮影画像の記録タイミングを制御する撮影制御手段と、が設けられているので、撮影可能な画角内の音量レベルの変化に応じて来場者が撮影可能範囲に入ったタイミングを判断して撮影を行なえる。とくに、検出される音量レベルが急激に変動した際のタイミングで画像を記録できるので、音声情報を用いて来場者ごとに異なるシャッターチャンスに対応でき、撮影画像の最適化に貢献できる。
【００２２】
なお、集音手段を識別情報記録媒体に内蔵させれば来場者個々の音量レベルを個別に管理できるので、優先順位が最も高い人の音量レベルに基づいて撮影を行なうこともできる。
【００２３】
請求項８に記載された本発明によれば、識別情報記録媒体が付与された来場者の心拍数および脈拍の少なくとも一方を測定する測定手段と、測定手段によって測定された心拍数および脈拍の少なくとも一方の変動に基づき、撮影手段による撮影画像の記録タイミングを制御する制御手段と、が設けられているので、来場者の心拍数や脈拍の変化に応じて来場者が撮影可能範囲に入ったことを判断して撮影を行なえる。とくに、心拍数や脈拍が急激に変動した際のタイミングで画像を記録できるので、心拍数情報や脈拍情報を用いて来場者ごとに異なるシャッターチャンスに対応でき、撮影画像の最適化に貢献できる。
【００２４】
なお、測定手段を識別情報記録媒体に内蔵させれば来場者個々の心拍数や脈拍を個別に管理できるので、優先順位が最も高い人の心拍数や脈拍に基づいて撮影を行なうこともできる。
【００２５】
請求項９に記載された本発明は、来場者個々に与えられる個別情報を、来場者に付与された識別情報記録媒体から識別情報を読み取ることによって取得する情報読み取り手段と、撮影目的で所定の場所に設置され、被写体の光学像を撮像する撮像手段と、前記撮影手段によって撮影可能な画角内の音声を集音する集音手段と、前記集音手段によって集音された音声レベルを検出し、該音声レベルの変動に基づき、前記撮影手段による撮影画像の記録タイミングを制御する撮影制御手段と、が設けられていることを特徴としている。
【００２６】
請求項９に記載された本発明によれば、来場者個々に与えられる個別情報から来場者を特定できるので、特定の来場者のシャッターチャンスに対応でき、撮影画像の最適化に貢献できる。
【００２７】
請求項１０に記載された本発明は、来場者個々に与えられる個別情報を、来場者に付与された識別情報記録媒体から識別情報を読み取ることによって取得する情報読み取り手段と、撮影目的で所定の場所に設置され、被写体の光学像を撮像する撮像手段と、前記識別情報記録媒体が付与された来場者の心拍数および脈拍の少なくとも一方を測定する測定手段と、前記測定手段によって測定された心拍数および脈拍の少なくとも一方の変動に基づき、前記撮影手段による撮影画像の記録タイミングを制御する制御手段と、が設けられていることを特徴としている。
【００２８】
請求項１０に記載された本発明によれば、来場者個々に与えられる個別情報から来場者を特定できるので、特定の来場者のシャッターチャンスに対応でき、撮影画像の最適化に貢献できる。
【００２９】
請求項１１に記載された本発明にかかる画像提供システムによれば、前記目的を達成するために、請求項５ないしは請求項１０のいずれか１項に記載された撮影システムと、前記撮影システムによって取得された画像を来場者に提供する画像出力手段と、を備えたことを特徴としている。
【００３０】
請求項１１に記載された本発明によれば、来場者は、撮影した画像を入手する場合に画像出力手段から画像を得ることができるので、来場者自身で撮影できない価値の高い画像を入手できる。なお、画像出力手段としては、たとえば画像プリント出力するもののほか、来場者へ提供するメディアに画像データとして出力するもの、電子メールで来場者の指定する配布先に画像データを配布するもの、ホームページなどにアップロードなどして、インターネットを介して閲覧可能な形態にするものなどが挙げられる。
【００３１】
なお、本明細書において「個別情報」とは、来場者を識別するための情報を含む広い意味で用いられるものとする。具体的には、たとえば来場者に付与される識別情報記録媒体の識別番号のほか、識別情報記録媒体の製造番号、来場者の電子メールアドレスやＩＰアドレス、来場者によって定められる暗証番号（予め決められた文字数の範囲で決められた文字・記号を組み合わせて来場者が任意に設定する暗証符号）など、来場者を特定するために重複されることの無い符号などが挙げられる。
【発明の効果】
【００３２】
本発明によれば、来場者のグループ判別および、同一グループ内での優先順位の判別が行えるとともに、来場者ごとの撮影画角の最適化および撮影シーンの最適化が図れる。
【発明を実施するための最良の形態】
【００３３】
以下、添付図面に従って本発明に係る識別情報記録装置および方法ならびに撮影システムの第１の実施の形態について詳説する。
【００３４】
図１は本発明の実施の形態に係る識別情報記録装置と撮影システムが適用される画像提供システムの構成図である。本例では、テーマパークに設置される場合を例示するが、本発明の適用範囲はこれに限定されず、遊園地、動物園など不特定多数の来場者（ユーザ）が入場する一般的な施設についても適用できる。
【００３５】
画像提供システム１０は、来場者ごとにＩＤタグ（識別情報記録媒体）１２を付与するＩＤタグ発行部１４と、被写体を撮影するデジタルカメラ（以下、カメラという。）１６および、ＩＤタグ１２と識別情報（固有の識別コード、以下ＩＤと記載する）などを通信するアンテナ１８を備えた複数のアトラクション２０と、このアトラクション２０ごとに設置されるアトラクション管理装置２２と、ネットワークサーバ２４を備える総合情報管理センター（以下、センターという。）２６と、来場者との対応窓口を備えた画像出力センター２８などから構成されている。アンテナ１８にはＩＤタグ１２との間で通信制御を行う不図示の通信制御装置が設けられている。また、来場者が撮影の対価を支払う窓口や、撮影画像に所定の画像処理を施す画像処理部、来場者がカメラの撮影動作を設定するカメラ操作部などが必要に応じて設けられる。
【００３６】
ＩＤタグ発行部１４は、たとえばテーマパーク内の入り口近傍に設置される。ＩＤタグ発行部１４は、来場者の識別のためのＩＤを生成するＩＤ生成手段として機能し、ＩＤが設定されたＩＤタグ１２がＩＤタグ発行部１４にて来場者に付与される。このＩＤはＩＤタグ発行部１４が自動生成するが、同一のＩＤが重複して発行されないように、発行したＩＤを管理する手段が付加されている。ＩＤタグ１２やＩＤの態様については後述する。
【００３７】
ＩＤタグ書き換え部１５はテーマパーク内の各所に設けられており（同図では１箇所のみに記載）、ＩＤを書き換える必要が生じた場合に当該書き換えを行なうためのものである。この書き換えについては後述する。
【００３８】
アトラクション２０は、たとえばジェットコースターやメリーゴーランドなどであり、これらアトラクション２０ごとにカメラ１６が予め定められた所定の場所に設置されている。この設置場所としては、撮影目的によって適宜設計可能であるが、たとえば一般の来場者が自分のカメラで撮影することができない特別なアングル（構図）の撮影を行うような場所に設置することが望ましい。なお、図１では、各アトラクションに対して１つのカメラ１６が設置されている構成としたが、カメラ１６の設置台数は各アトラクション２０に対して複数台でもよい。また、カメラ１６としては、いわゆるメガピクセル級以上のデジタルカメラであることが好ましく、具体的には露出制御機能，フォーカス機能，ホワイトバランス機能など、デジタルカメラ特有の機能を備えているものが用いられる。カメラ１６の支持機構（雲台）は、カメラ１６の撮影方向を可変できる構造であってもよいし、撮影方向を固定した状態でカメラ１６を保持する構造であってもよい。
【００３９】
各アトラクション２０におけるカメラ１６の撮影ポイント（撮影可能範囲）近傍にはアンテナ１８が配置されている。このアンテナ１８はＩＤを読み取る手段であり、来場者の撮影ポイント内への到来に伴い来場者所有のＩＤタグ１２のＩＤを読み取り、センター２６に送信する。アトラクション管理装置２２では、撮影ポイント通過中の来場者の位置をＩＤの読み取りに伴って検知して位置情報信号を生成し、これをセンター２６（ネットワークサーバ２４）に送信する。これらＩＤおよび位置情報信号を受けて、ネットワークサーバ２４と接続されたホストコンピュータ２７はカメラ１６に対し、撮影許可信号を送信する。撮影許可信号送信後、カメラ１６による撮影がなされるが、所定の時間経過後のタイミングで撮影させてもよい。なお、アンテナ１８による被写体検出方式は、後述するＲＦＩＤによる非接触方式が用いられる。
【００４０】
撮影によって取得された画像データは、撮影された来場者所有のＩＤタグ１２のＩＤとともにネットワークサーバ２４を介してホストコンピュータ２７に伝送される。ホストコンピュータ２７には画像データとＩＤとを保存する大容量メモリ（半導体メモリ又はハードディスク）３２が備えられ、画像データとＩＤとが関連付けされて当該大容量メモリ３２に保存される。なお、画像データやＩＤのデータ伝送手段としては、ケーブルを利用する有線方式に限定されず、電波や赤外線（光）など、電磁波を用いた非接触の信号伝達形態（ワイヤレス方式）であってもよい。
【００４１】
画像出力センター２８の窓口にはネットワークサーバ２４を介してホストコンピュータ２７と接続されたＰＣ端末（パソコン、ＰＤＡなど）３４が設置されている。ＰＣ端末３４にはプリンタ３６が接続され、ＰＣ端末３４からプリントの注文が入力されるとホストコンピュータ２７はネットワークサーバ２４を介してプリント注文に係る画像データをＰＣ端末３４（プリント注文が入力されたＰＣ端末）に供給する。ＰＣ端末３４はこれを受け、供給された画像データに基づきプリンタ３６を制御して画像をプリントする。生成されたプリント物は顧客に提供される。
【００４２】
来場者に付与されるＩＤタグ１２は、図２に示すようにＩＣチップ４０と、このＩＣチップ４０まわりに渦巻き状に配置されたＲＦＩＤアンテナ４１と、を備えたＲＦＩＤ回路からなる。ＩＣチップ４０は、変調・復調回路４２とマイクロプロッセッサ（以下：ＭＰＵ）４３と、情報記録部を構成するメモリ４４などを備えている。ＭＰＵ４３はメモリ４４に接続され、ＭＰＵ４３にてメモリ４４に対する情報の読み取り、書き込みが行われる。ＩＤタグ１２から前述したアンテナ１８への情報伝送は、アンテナ１８からの読み込み情報の搬送波による電磁誘導によってＩＣチップ４０を駆動する電源がＩＤタグ１２に供給されてなされる。ＭＰＵ４３はメモリ４４から情報を読み出し、変調・復調回路４２にて当該情報の信号に負荷変調などを施した後、ＲＦＩＤアンテナ４１から搬送波として送信させる。なお、ＲＦＩＤアンテナ４１には図示しない同調コンデンサが設けられ、この同調コンデンサによって搬送波の周波数とＲＦＩＤアンテナ４１の回路とを共振させて大きな出力を得ている。このような構成のＩＤタグ１２は、たとえばリストバンドによって来場者の手首に巻きつけて装着できるものでも良いし、首からぶらさげるものやカード（シート）状のものなど、どの様な形式のものでもかまわない。
【００４３】
一方、ＩＤタグ１２のＩＤを発行するＩＤ発行装置４５（図１に示したＩＤタグ発行部１４やＩＤタグ書き換え部１５に設置される）はアンテナ４６と電源回路４７と、変調・復調回路４８およびホストコンピュータ２７と接続された制御回路４９とを有している。符号４９ａは、書き換え操作用の操作端末である。ＩＤタグ１２の書き換えは、ＩＤ発行装置４５のアンテナ４６からの書き込み情報の搬送波による電磁誘導によってＩＣチップ４０を駆動する電源がＩＤタグ１２に供給されてなされる。操作端末４９ａやホストコンピュータ２７から書き換え指令を受けると、制御回路４９は変調・復調回路４２にて当該書き換え情報の信号に負荷変調などを施した後、アンテナ４６から搬送波として送信させる。当該搬送波を受け、ＩＤタグ１２のＭＰＵ４３は書き換え情報をメモリ４４へ書き込む。
【００４４】
前記ＩＤタグ１２のメモリ４４に記録されるＩＤは、図３に示すように、たとえば日付，個人ＩＤ，グループＩＤ，グループ内での優先順位，グループの構成人数，同一行動をとるグループ数などからなる。
【００４５】
日付は、入場日や入場を予定する予約日などが例として挙げられる。
【００４６】
個人ＩＤはすべての来場者一人一人に重複することなく個別に与えられる。
【００４７】
グループＩＤは来場者（代表者）およびその同伴者に対して付与されるもので、同伴者には代表者と同一のグループＩＤが設定される。
【００４８】
優先順位は撮影時にどの来場者（代表者を含む）を優先的に撮影するかを決定するものであり、後述するが、優先順位の最も高い来場者を中心にカメラ１６のフォーカスなどが合わせられる。
【００４９】
グループの構成人数は、来場者と同伴者からなる１のグループを構成する人数を示す。なお、当該グループの構成人数が遅刻者などによって変更（書き換え）されることを来場時に同グループの来場者（たとえば代表者）が把握しているのであれば、予測される全構成人数の情報を付加させてもよい。すなわち、来場時のグループの構成人数が３名で遅刻者が２名とした場合には、グループの構成人数は来場時には「３／５」となり、遅刻者と合流した際には「５／５」と書き換えされる構成としてもかまわない。
【００５０】
このような構成のＩＤは、ＩＤタグ発行部１４にて来場者に付与される時点でＩＤタグ１２のメモリ４４に書き込まれて保存される。なお、ＩＤは来場者によって予め指定することもできる。
【００５１】
メモリ４４に記録されるＩＤは、前述したＩＤタグ書き換え部１５（図１参照）にて書き換えることができる。このＩＤの書き換えは、グループの構成人数の変更や優先順位の変更など、ＩＤを書き換える必要が生じた場合に行なう。前述したように遅刻者によってグループの構成人数を変更（増加）する場合には、来場者はＩＤタグ書き換え部１５に設けられたＩＤ発行装置４５（図２参照）の操作端末４９ａを操作して増加人数を入力する。これを受け、制御回路４９は来場者と遅刻した同伴者のＩＤタグ１２にグループ人数を増加人数分だけ増やす書き換え信号を送信し、来場者と遅刻した同伴者の個々のＩＤタグ１２のＩＤを書き換える。なお、当該書き換え作業はＩＤタグ書き換え部１５のオペレータ（不図示）が行なってもよい。
【００５２】
図４は、カメラ１６の内部構成を示すブロック図である。カメラ１６は制御部として機能する中央演算処理装置（ＣＰＵ）５０を有している。ＣＰＵ５０は、所定のプログラムに従ってカメラ内の各機器を制御する制御手段として機能するとともに、露出演算、焦点調節演算など各種の演算を実施する演算手段として機能する。なお、詳述しないが、ＣＰＵ５０は制御用プログラムおよび制御に必要な各種データなどが格納されているＲＯＭと、作業用領域として利用されるＲＡＭとを備えている。
【００５３】
ホストコンピュータ２７からの撮影許可信号は、入力インターフェース部５１を介してカメラ１６内のＣＰＵ５０に伝達される。ＣＰＵ５０は、撮影許可信号に基づいてカメラ１６の各回路の制御を開始するとともに、レンズ駆動制御、撮影動作制御、画像処理制御、ストロボが設けられている場合にはストロボの発光制御、画像伝送制御（通信制御）などを行う。
【００５４】
すなわち、ＣＰＵ５０がホストコンピュータ２７から撮影許可信号を受け取ると、ＣＰＵ５０はＣＣＤドライバ５２に対して撮像開始信号を出力し、ＣＣＤ固体撮像素子（以下、ＣＣＤという。）５４を作動させるとともに、アトラクション管理装置２２にて生成された前記位置情報信号および、前記グループＩＤに基づいてカメラ１６の画角（ズーム）が制御されるとともに、前記優先順位に基づいて露出制御およびフォーカス制御、ホワイトバランス制御などを行い、その後、記録用の画像を取り込むためのＣＣＤ５４の露光および読み出し制御を開始する。具体的には、位置情報およびグループＩＤに基づいて、来場者とその同伴者全て（同一のグループＩＤが設定されている来場者）が納まるようにカメラ１６の画角（ズーム中心位置およびズーム倍率）が決定される。カメラ１６の支持機構としての雲台が設けられている場合には、位置情報およびグループＩＤに基づいて雲台のモータドライバ（不図示）を制御し、カメラ１６の向き（アングル）を制御してもよい。また、優先順位に基づいて、ＣＰＵ５０にて優先的に撮影する来場者を判定し、優先順位の最も高い来場者を中心にフォーカスなどが合わせられる。このような調整が終了した後、カメラ１６による撮影が行なわれる。
【００５５】
撮影にともない、レンズ５６を通過した光は図示せぬ絞り機構により光量が調節された後、ＣＣＤ５４に入射する。ＣＣＤ５４の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ５４は、各フォトダイオードの電荷蓄積時間（シャッタースピード）を制御する電子シャッター機能を有している。なお、ＣＣＤ５４に代えてＣＭＯＳなど他の方式の撮像素子を用いてもよい。
【００５６】
ＣＣＤ５４の受光面に結像された被写体像は、各フォトダイオードによって入射光量に応じた量の信号電荷に変換される。各フォトダイオードに蓄積された信号電荷は、ＣＣＤドライバ５２から与えられる駆動パルスに基づいて信号電荷に応じた電圧信号（画像信号）として順次読み出される。
【００５７】
ＣＣＤ５４から出力された信号は、相関二重サンプリング（ＣＤＳ）処理やゲイン調整などの所要の処理が施された後、Ａ／Ｄ変換器５８に加えられ、ここでデジタル信号に変換される。デジタル化された画像データは信号処理部６０に送られる。
【００５８】
信号処理部６０は、同時化回路（単板ＣＣＤのカラーフィルタ配列に伴う色信号の空間的なズレを補間して各点の色を計算する処理回路）、輝度・色差信号生成回路、ガンマ補正回路、輪郭補正回路、ホワイトバランス補正回路等を含む画像処理手段として機能し、バス６２を介して接続されるＣＰＵ５０からのコマンドに従ってメモリ６４を活用しながら画像信号を処理する。
【００５９】
また、信号処理部６０は、ＡＥ制御及びＡＦ制御に必要な演算を行うオート演算部として機能する手段を含み、入力された画像信号に基づいて焦点評価値演算やＡＥ演算などを行い、その演算結果をＣＰＵ５０に伝える。ＣＰＵ５０はオート演算部の演算結果に基づいてモータドライバ６６を制御して撮影光学系のフォーカス調整用レンズを合焦位置に移動させるとともに、絞り機構（不図示）を適正絞り値に設定し、ＣＣＤ５４の電荷蓄積時間（電子シャッター）を制御する。
【００６０】
ＡＥ及びＡＦ処理後に取り込まれた記録用の画像データは、信号処理部６０において輝度・色差信号変換処理（ＹＣ処理）その他の所定の信号処理を経た後、メモリ６４に格納される。こうして、生成された画像データは、出力インターフェース部６７からホストコンピュータ２７に伝送される。なお、カメラ１６の信号処理部６０に圧縮回路を備え、画像データを圧縮してからホストコンピュータ２７に伝送する構成としてもよい。
【００６１】
上記の如く構成された画像提供システム１０の手順について説明する。
【００６２】
図１において、本画像提供システムによるサービスを希望する来場者はテーマパーク入場後、はじめにＩＤタグ発行部１４にてＩＤタグ１２を受け取る。ＩＤタグ発行部１４でＩＤが重複することがないように自動発行され、当該ＩＤがＩＤタグ１２のＲＦＩＤアンテナ４１に送信される。ＲＦＩＤアンテナ４１にて受信されたＩＤは、ＩＣチップ４０のＭＰＵ４４にてデコードされ、メモリ４４にて記録される。ＩＤが発行されたＩＤタグ１２は来場者に付与される。
【００６３】
以下には、具体的に親子３人組で入場した場合を例として説明する。親子３人組それぞれに発行されるＩＤ例を図５に示す。同図に示すようにグループ人数は３名であり、個人ＩＤは重複することなく個別に与えられる一方、グループＩＤは同一番号に設定される。子供を中心に撮影の便宜を図るため、子供に対して優先順位をあげている。親子３人組以外のグループは存在しないので、同一グループ化数は０である。
【００６４】
ＩＤタグ１２を付与された親子３人組は、この後に各アトラクションをまわる。図６に示したように各アトラクションのアンテナ１８からは、カメラ１６の撮像可能な最大画角範囲（撮影ポイント）内に信号が発信されており、撮影ポイント内にＩＤタグ１２が存在する場合には、ＩＤタグ１２のＲＦＩＤアンテナ４１（図２参照）からＩＤが送信され、アンテナ１８にて当該ＩＤが受信される。具体的には、アンテナ１８がたとえばジェットコースターなどの車両に乗車している親子３人組のＩＤタグ１２を検知し、そのＩＤおよび来場者の位置情報がセンター２６に入力される。次いで、センター２６はカメラ１６に対し位置情報信号を送信して、当該位置情報に基づきカメラ１６の画角（ズーム）およびフォーカスなどを調整させる。
【００６５】
図７は、カメラ１６の当該調整および画像取得（撮影）シーケンスを示すフローチャートである。同フローチャートのステップＳ１０において、はじめにホストコンピュータ２７によって同一グループの判定およびグループ人数が掌握される。すなわち、アンテナ１８によってＩＤタグ１２が検知され、これにより撮影ポイントへの到来を認識された親子３人組は、ホストコンピュータ２７によって同一グループと判定された後、グループ人数「０３」（図５参照）にて３名がグループ人数と判定される。ついで、撮影ポイント内のＩＤタグ１２の個数がカウントされ、撮影ポイント内を通過中の人数が確認される（ステップＳ１２）。この結果、撮影ポイント内を通過中の人数とグループ人数が等しい場合、すなわち親子３人組のみが撮影ポイント内にいる場合には全員が揃ったものと判断され、ステップＳ１４に進む。撮影ポイント内を通過中の人数がグループ人数に満たない場合、たとえば父子のみが撮影ポイント内にいる場合などでは人数不足と判定してステップＳ１６に進み、待ち時間の判定がなされる。ステップＳ１６にて待ち時間があると判定された場合には前記ステップＳ１２に戻り、撮影ポイント内を通過中の人数が再度確認される。ステップＳ１６にて待ち時間無しと判定された場合には、現状の撮影ポイント内を通過中の同一グループの人数（たとえば父子のみ）を仮のグループ人数と設定してステップＳ１４に進む。
【００６６】
ステップＳ１４では、ＣＰＵ５０は位置情報およびグループＩＤに基づきモータドライバ６６を制御してレンズ５６をズームさせ、図６に示したようにグループ人数全てが納まるように、かつ来場者の表情がよりわかり易くなるようにカメラ１６の撮影画角の調整がなされる。
【００６７】
この後、ステップＳ１８にて撮影画角内での来場者の位置が検出され、画角調整後にグループ人数全員が撮影画角内に納まっているか否かが判定される。撮影画角内の人数がグループ人数に満たないと判断された場合にはステップＳ１４に戻り、カメラ１６の撮影画角の再調整がなされる。
【００６８】
ステップＳ１８にて、撮影画角内の人数が撮影人数と等しいと判断された場合には当該撮影画角の調整は終了し（ステップＳ２０）、ステップＳ２２に進む。
【００６９】
ステップＳ２２では優先上位者の確定が行なわれる。撮影画角内で優先順位が最も高い来場者が検出され、ＣＰＵ５０からモータドライバ６６に指示信号が出力され、レンズ５６が駆動されて当該来場者に対してフォーカスがあわせられる（ステップＳ２４）。本実施の形態に示す親子３人組の場合には、当該画角内で優先順位が最も高い子供に対してフォーカスがあわされる。このフォーカス調整終了後、ホストコンピュータ２７から撮影許可信号がカメラ１６に送信され、カメラ１６にて撮影（ＣＣＤ５４の露光および読み出し処理）がなされる（ステップＳ２６）。ステップＳ２６後は当該シーケンスを終了するが、再度ステップＳ１０に戻り、次の撮影に備える構成としてもよい。
【００７０】
なお、前記ステップＳ１８にて異なるグループＩＤが撮影ポイント内のＩＤタグ１２から読み取られた場合（すなわち撮影画角内に別のグループＩＤの来場者が存在する場合）には、図６に示したように別のグループＩＤの来場者を撮影画角に入れないようにカメラのズーム中心位置を調整する構成としてもよい。
【００７１】
撮影によって取得された画像データは一旦カメラ１６のメモリ６４（図４参照）に書き込まれて保存された後、図１に示したアトラクション管理装置２２を介してホストコンピュータ２７に伝送される。アトラクション管理装置２２は、カメラ１６から送られてくる画像データについて重複しないユニークな画像ＩＤを自動付与する手段として機能し、画像信号ごとに固有のＩＤ（画像ＩＤ）を付与してからホストコンピュータ２７に送信する。画像ＩＤが付与された画像データは、ホストコンピュータ２７の大容量メモリ３２にＩＤおよび画像ＩＤとともに格納される。ホストコンピュータ２７は、画像データの圧縮伸張を行う信号処理手段として機能し、入力された画像データを必要に応じて所定の圧縮フォーマット（例えば、ＪＰＥＧ方式）に従って圧縮し、ホストコンピュータ２７の大容量メモリ３２に格納する。なお、画像ＩＤをＩＤと共通のものとして、アトラクション管理装置２２における画像ＩＤの付与を行なわない構成としてもよい。
【００７２】
このような親子３人組の撮影が各アトラクション２０にて繰り返し行なわれ、画像データがホストコンピュータ２７の大容量メモリ３２にＩＤとともに蓄積される。
【００７３】
なお、フォーカス調整後に１回の撮影動作を実行する例を述べたが、フォーカス調整後に所定の時間間隔で複数回の撮影動作を実行する態様もありえる。すなわち、ジェットコースターは複数台の車両が連結されているので、先頭の車両の到来時にカメラ１６による最初の撮影が行われ、その後、先頭の車両の到来時を基準時刻として、先頭の車両に続く各連結車両が到来する所定時間毎に、撮影が行われるようにしてもよい。このような連続撮影動作は、カメラ１６に内蔵されたＣＰＵ５０によって制御してもよいし、アトラクション管理装置２２またはホストコンピュータ２７によって制御してもよい。
【００７４】
親子３人組は、テーマパークからの退園時に画像出力センター２８に立ち寄り、各アトラクションにて撮影された画像をプリントアウトして持ち帰る。この際には、画像出力センター２８のオペレータは親子３人組からＩＤタグ１２を返却してもらい、当該ＩＤタグ１２のメモリ４４に記録されたＩＤをＰＣ端末３４によって読み取り、当該ＩＤをホストコンピュータ２７に送信する。これを受けてホストコンピュータ２７は、ＩＤと関連付けされた画像データを大容量メモリ３２から読み出し、プリント用の画像データに変換した後、ＰＣ端末３４に送る。ＰＣ端末３４ではホストコンピュータ２７から送られてくる画像データに基づいて印画処理を実行し、写真用紙に画像がプリントされたプリント物をプリンタ３６によって生成する。
【００７５】
こうして生成されたプリント物は、窓口又は所定のプリント受渡し場所において代金（又は支払い契約）と引き換えに親子３人組に引き渡される。プリント物の引き渡し時にはクレジットカードやプリペイドカードなどの決済手段を用いてもよい。
【００７６】
なお、画像出力センター２８では、サービス内容に対応した料金計算テーブルなどが設けられ、来場者は注文内容と料金を確認できる。また、料金テーブルデータをホストコンピュータ２７が保有し、注文情報を受けてホストコンピュータ２７において料金を計算し、計算結果を画像出力センター２８のＰＣ端末に通知する態様も可能である。
【００７７】
また、画像出力センター２８にモニタを設け、このモニタに、撮影された複数の画像を表示させて来場者に閲覧させ、各画像を購入するか否かを判断できる構成としても構わない。この場合には、ＰＣ端末は、画像データを表示用の信号に変換する信号処理手段として機能する。さらに、来場者自身がＰＣ端末を操作して注文情報を入力するセルフ操作タイプの端末であってもよい。なお、すでに来場者に提供された画像データは、ホストコンピュータ２７の内部メモリから直ちに削除されてもよいし、一定の保存期間の経過後に自動削除されてもよい。
【００７８】
上述したように、本実施の形態の識別情報記録装置および方法ならびに撮影システムによれば、ＩＤタグ１２個々に与えられるＩＤに、グループＩＤおよび優先順位を付加して、グループ構成の判別および優先順位の判別が行なえる。また、来場者に対する撮影画角の最適化および撮影画像の最適化を図れる。
【００７９】
つぎに、本発明の第２の実施の形態に係る識別情報記録装置および方法ならびに撮影システムについて説明する。なお、第１の実施の形態における画像提供システム１０と同一、類似の構成、部材などには同様の符号を付し、その詳細説明は省略する。
【００８０】
本実施の形態にかかる画像提供システム７０は、画像提供システム１０の構成に加えて、図８に示すように各アトラクション２０におけるカメラ１６の撮影可能な撮影ポイント近傍に集音マイク７２を配置したものである。集音マイク７２は撮影ポイントの音声を集音し、音声レベルとして不図示の回線を介してアトラクション管理装置２２に送信する。アトラクション管理装置２２では音声レベルを検出し、音量レベルが急激に変化（上昇）した際にカメラ１６に撮影許可信号を送信する。
【００８１】
図９には、この場合の音量レベルの変化と撮影の関係を示す。同図に示すように音量レベルの計測は、ＩＤタグ１２を付与された来場者が撮影ポイント内に侵入した時点から開始され、来場者が撮影ポイントから退場するまで常に行なわれており、当該音量レベルが急激に変化（上昇）した場合に撮影がなされる（同図撮影１）。撮影によって得られた画像データはカメラ１６のメモリ６４に書き込まれて記録される。この撮影の後、音量レベルの測定は引き続いてなされ、再度急激に変化（上昇）し、かつ前回の撮影（撮影１）よりも音量レベルの変化量が大きい場合に再撮影が行なわれ、画像データがメモリ６４に記録される。この再撮影によって得られた画像データは前回メモリ６４に書き込まれて記録された画像データに上書きされ、前回の画像データは破棄（削除）される。
【００８２】
このような構成の画像提供システム７０の画像取得シーケンスを図１０におけるフローチャートを用いて説明すると、はじめにステップＳ３０にて音量レベルの測定が開始され、ステップＳ３２で音量レベルの変化が検出される。音量レベルが急激に変化（上昇）した場合にはステップＳ３４に進み、カメラ１６にて撮影がなされて撮影画像が記録される。この後、ステップＳ３６では、カメラ１６のメモリ６４にて前回の撮影画像がメモリされている場合に前回の画像データを破棄した後（ステップＳ３８）、ステップＳ４０に進む。ステップＳ３６にてメモリ６４に前回の撮影画像がメモリされていないと判定された場合にはステップＳ４０に進み、来場者が撮影ポイント内にいるか否かが判定され、来場者が撮影ポイント内にいる場合には前記ステップＳ３０に戻り、次の撮影に備える。
【００８３】
このように、音量レベルが急激に上昇した際に撮影がなされることで、実際に来場者が絶叫しているタイミングでの撮影が可能となり、撮影シーンの最適化が行なえる。
【００８４】
なお、たとえば来場者が撮影ポイントに侵入してから撮影ポイントから出るまでにカメラ１６によって連写を行い、音量レベルが上昇した時点またはその直前の画像を選択して記録する構成としてもよい。図１１には、この場合の音量レベルの変化と撮影の関係を示す。同図に示すように本実施の形態では撮影は所定の時間間隔で連続して行なわれ、画像データがカメラ１６のメモリ６４に書き込まれて保存される。この撮影と略同タイミングで音量レベルの測定も行なわれ、アトラクション管理装置２２にて音量レベルが検出される。
【００８５】
図１２には当該連写による画像取得シーケンスを示す。ステップＳ５０にて撮影が行なわれ、得られた画像データはカメラ１６のメモリ６４に書き込まれて保存される。ステップＳ５２では、この撮影時における音量レベルの変化の判定がなされ、当該タイミングで音量レベルが変化したと判定された場合にはメモリ６４に書き込まれた画像データの保存が保持される（ステップＳ５４）。
【００８６】
前記ステップＳ５２にて音量レベルが変化していないと判定された場合にはステップＳ５６に進み、メモリ６４に書き込まれた画像データが破棄された後、ステップＳ５０に戻り再度撮影がなされる。
【００８７】
前記ステップＳ５４にて画像データの保存が保持された場合には、ステップＳ５８に進み、来場者が撮影ポイント内にいるか否かが判定され、来場者が撮影ポイント内にいる場合には前記ステップＳ５０に戻り、次の撮影が行なわれる。ステップＳ５８にて来場者が撮影ポイント内にいないと判定した場合には、来場者が撮影ポイント内から退場したとして当該画像取得シーケンスを終了する。
【００８８】
来場者が撮影ポイント内から退場すると、当該保持（選択）された画像データがホストコンピュータ２７にＩＤとともに送信され、大容量メモリ３２にＩＤとともに記録される。
【００８９】
このように、音量レベルの変化に基づいて撮影画像を選択して記録するので、来場者ごとに異なるシャッターチャンスに対応でき、撮影シーンの最適化に貢献できる。
【００９０】
ここで、図１０に示したフローチャートのステップＳ３０の前段または、図１２に示したフローチャートのステップＳ５０の前段に、前記第１の実施の形態で示した図７のフローチャートのステップＳ１０からステップＳ２４からなる画角およびフォーカスの調整シーケンスを追加すれば、来場者の撮影画角を決定できるとともに、優先順位に基づいてフォーカスもあわせることが可能となり、撮影画像の最適化にさらに貢献できる。
【００９１】
なお、画像提供システム７０では各アトラクション２０におけるカメラ１６の撮影可能な撮影ポイント近傍に集音マイク７２を配置した構成としたが、集音マイクをＩＤタグ１２に内蔵し、ワイヤレスマイクとして集音レベルを検出する構成としてもよい。この場合には、ＩＤタグ１２のＲＦＩＤアンテナを介してアトラクション２０のアンテナ１８に音量レベルデータがＩＤとともに送信される。これにより、来場者個々の音量レベルを個別に管理できるので、優先順位が最も高い人の音量レベルに基づいて撮影を行なう構成とすることもできる。
【００９２】
つぎに、本発明の第３の実施の形態に係る識別情報記録装置および方法ならびに撮影システムについて説明する。第１の実施の形態における画像提供システム１０と同一、類似の構成、部材などには同様の符号を付し、その詳細説明は省略する。
【００９３】
本実施の形態にかかる画像提供システム８０は、画像提供システム１０の構成に加えて、図１３に示すように来場者のＩＤタグ１２に来場者の心拍（または脈拍）を検出可能な心拍センサ８２を設けたものである。当該心拍センサ８２はＩＤタグ１２のＲＦＩＤアンテナ４１を介して、アトラクション２０のアンテナ１８に、ＩＤタグ１２を装着した来場者の心拍数データをＩＤとともに送信できる。
【００９４】
図１４には、この場合の心拍数の変化と撮影の関係を示す。同図に示すように、心拍数の計測は来場者が撮影ポイントに入場してから退場するまで常に行なわれており、当該心拍数が急激に変化（上昇）した場合に撮影がなされる（同図撮影１）。撮影によって得られた画像データはカメラ１６のメモリ６４に書き込まれて記録される。この撮影の後、心拍数の測定は引き続いてなされ、再度急激に変化（上昇）し、かつ前回の撮影（撮影１）よりも心拍数の変化量が大きい場合に再撮影が行なわれる。この再撮影によって得られた画像データは前回メモリ６４に書き込まれて記録された画像データに上書きされ、前回の画像データは破棄される。
【００９５】
このような構成の画像提供システム８０の画像取得シーケンスを図１５におけるフローチャートを用いて説明すると、はじめにステップＳ６０にて心拍数の測定が開始され、ステップＳ６２で心拍数の変化が検出される。心拍数が急激に変化（上昇）した場合にはステップＳ６４に進み、カメラ１６にて撮影がなされて撮影画像が記録される。この後、ステップＳ６６では、カメラ１６のメモリ６４にて前回の撮影画像がメモリされているか否かが判定され、メモリされている場合に前回の画像データを破棄した後（ステップＳ６８）、ステップＳ７０に進む。ステップＳ６６にてメモリ６４に前回の撮影画像がメモリされていないと判定された場合にはステップＳ７０に進み、来場者が撮影ポイント内にいるか否かが判定され、来場者が撮影ポイント内にいる場合には前記ステップＳ６０に戻り、次の撮影に備える。
【００９６】
このように、心拍数が急激に上昇した際に撮影がなされることで、実際に来場者が絶叫しているタイミングでの撮影が可能となり、撮影シーンの最適化が行なえる。とくに、ＩＤタグ１２に心拍センサ８２を設けたので、来場者個々の心拍数を個別に管理できる。したがって、優先順位が最も高い人の心拍数に基づいて撮影を行なう構成とすることもできる。
【００９７】
なお、撮影は、たとえば来場者が撮影ポイントに侵入してから撮影ポイントから出るまでにカメラ１６による連写を行い、心拍数が上昇した時点またはその直前の画像を選択し、当該画像を来場者に提供する構成としてもよい。図１６には、この場合の心拍数の変化と撮影の関係を示す。同図に示すように本実施の形態では撮影は所定の時間間隔で連続して行なわれ、画像データがカメラ１６のメモリ６４に書き込まれて保存される。この撮影と略同タイミングで心拍数の測定も行なわれ、アトラクション管理装置２２にて心拍数が検出される。
【００９８】
図１７には当該連写による画像取得シーケンスを示す。ステップＳ９０にて撮影が行なわれ、得られた画像データはカメラ１６のメモリ６４に書き込まれて保存される。ステップＳ９２では、この撮影時における心拍数の変化の判定がなされ、当該心拍数が変化したと判定された場合にはメモリ６４に書き込まれた画像データの保存が保持される（ステップＳ９４）。
【００９９】
前記ステップＳ９２にて心拍数が変化していないと判定された場合にはステップＳ９６に進み、メモリ６４に書き込まれた画像データが破棄された後、ステップＳ９０に戻り再度撮影がなされる。
【０１００】
前記ステップＳ９４にて画像データの保存が保持された場合には、ステップＳ９８に進み、来場者が撮影ポイント内にいるか否かが判定され、来場者が撮影ポイント内にいる場合には前記ステップＳ９０に戻り、次の撮影が行なわれる。ステップＳ９８にて来場者が撮影ポイント内にいないと判定した場合には、来場者が撮影ポイント内から退場したとして当該画像取得シーケンスを終了する。
【０１０１】
来場者が撮影ポイント内から退場すると、当該保持（選択）された画像データがホストコンピュータ２７にＩＤとともに送信され、大容量メモリ３２にＩＤとともに記録される。
【０１０２】
このように、心拍数の変化に基づいて画像を選択するので来場者ごとに異なるシャッターチャンスに対応でき、撮影画像の最適化に貢献できる。
【０１０３】
ここで、図１５に示したフローチャートのステップＳ６０の前段または、図１７に示したフローチャートのステップＳ９０の前段に、前記第１の実施の形態で示した図７のフローチャートのステップＳ１０からステップＳ２４からなる画角およびフォーカスの調整シーケンスを追加すれば、来場者の撮影画角を決定できるとともに、優先順位に基づいてフォーカスもあわせることが可能となり、撮影画像の最適化にさらに貢献できる。
【０１０４】
上述したような実施の形態に示した個別情報識別システムおよびこれを用いた画像提供システムの構成は、前記実施の形態に限定されるものではない。たとえば、ＩＤタグ１２は、ＲＦＩＤ回路によってＩＤが認識される構成としたが、紙片や種々の材料片などのシートやカード（以下、カードで代表する）にＩＤが視認可能な文字にて構成されるとともに、これを読み取り可能な読取装置にてＩＤが認識される構成としてもよい。また、このほかにも、ＩＤタグ１２はバーコードや２次元コードなどの光学的に読取可能なコードで印刷や記録されたものあっても良いし、ＩＤが磁気や光、または光磁気によって記録されかつ再生または読み取りできる磁気記録層、光記録層または光磁気記録層などを持つ磁気カードや光磁気カードなどであっても良い。また、ＩＤタグ１２はＩＤが文字やコードによる記録や印刷や、磁気、光または光磁気による記録や、電子的な記録などの２つ以上の方法で視認可能、光学読取可能、磁気、光または光磁気で記録・再生（読み取り）可能に記録された複合カードであっても良い。さらに、ＩＤタグ１２は、撮影の対価が記録または印刷された領収書として発行される形式のものであっても良い。
【０１０５】
また、ＲＦＩＤによる非接触方式に限定されず、たとえば来場者が必ず接触する床や壁などにＩＤ読み取り装置などを設けて、接触方式による検出方式としてもかまわない。また、アンテナ１８に代えて、可動部材の移動によって接点が切り換わる接触方式のセンサ（スイッチ）などによってＩＤタグ１２と通信を行うことができる構成のものを用いてもよい。
【０１０６】
また、撮影手段としてデジタルカメラを適用した場合について説明したが、これに限定されず、たとえば銀塩カメラやビデオカメラなどにおいても本発明を適用できる。さらに、カメラの設置態様としては、撮影位置が不動な定位置に設置される態様に限らず、移動する乗り物などに設置したり、走行式雲台に設置するなど、移動しながら撮影を行う態様も可能である。
【０１０７】
また、図３に示したＩＤタグ１２のメモリ４４に記録されるグループＩＤとしては、たとえば同一グループとなる個人ＩＤをすべて記録させるなど、個別情報以外にグループ概念を持つ情報を追加すれば来場者のグループ分けが可能であるので、本発明と同様の効果を得ることができる。
【０１０８】
本例では撮影画像をプリントしてプリント物を提供する画像提供サービスに適用した例を示したたが、来場者が帰宅後などに同施設のホームページにアクセスし、撮影画像を画像データとしてインターネット上からダウンロードできるようにしたオンラインの画像提供サービスにも適用できる。
【図面の簡単な説明】
【０１０９】
【図１】本発明の実施の形態に係る識別情報記録装置および撮影システムが適用される画像提供システムの構成図
【図２】本発明の実施の形態に係る識別情報記録装置および撮影システムが適用される画像提供システムに用いられるＩＤタグおよびＩＤ発行装置を示す構成図
【図３】本発明の実施の形態に係る識別情報記録装置および撮影システムが適用される画像提供システムに用いられるＩＤを示す図
【図４】本発明の実施の形態に係る識別情報記録装置および撮影システムが適用される画像提供システムに用いられるカメラの内部構成を示すブロック図
【図５】本発明の実施の形態に係る識別情報記録装置および撮影システムが適用される画像提供システムに用いられるＩＤの適用例を示す図
【図６】本発明の実施の形態に係る識別情報記録装置および撮影システムが適用される画像提供システムに用いられるアンテナおよび、カメラによる最大画角および撮影画角を示す図
【図７】本発明の実施の形態に係る識別情報記録装置および撮影システムが適用される画像提供システムに用いられるカメラの画像取得（撮影）シーケンスを示すフローチャート
【図８】本発明の実施の形態に係る識別情報記録装置および撮影システムが適用される画像提供システムの別実施の形態を示す構成図
【図９】本発明の実施の形態に係る識別情報記録装置および撮影システムが適用される画像提供システムの、音量レベルと撮影との関係を示す図
【図１０】本発明の実施の形態に係る識別情報記録装置および撮影システムが適用される画像提供システムにおいて、集音マイクを用いた画像取得シーケンスを示すフローチャート
【図１１】本発明の実施の形態に係る識別情報記録装置および撮影システムが適用される画像提供システムの、音量レベルと撮影との関係を示す別の図
【図１２】本発明の実施の形態に係る識別情報記録装置および撮影システムが適用される画像提供システムにおいて、集音マイクを用いた画像取得シーケンスを示す別のフローチャート
【図１３】本発明の実施の形態に係る識別情報記録装置および撮影システムが適用される画像提供システムの、さらに別の実施の形態を示す構成図
【図１４】本発明の実施の形態に係る識別情報記録装置および撮影システムが適用される画像提供システムの、音量レベルと撮影との関係を示すさらに別の図
【図１５】本発明の実施の形態に係る識別情報記録装置および撮影システムが適用される画像提供システムにおいて、集音マイクを用いた画像取得シーケンスを示すさらに別のフローチャート
【図１６】本発明の実施の形態に係る識別情報記録装置および撮影システムが適用される画像提供システムの、音量レベルと撮影との関係を示すさらに別の図
【図１７】本発明の実施の形態に係る識別情報記録装置および撮影システムが適用される画像提供システムにおいて、集音マイクを用いた画像取得シーケンスを示すさらに別のフローチャート
【符号の説明】
【０１１０】
１０…画像提供システム、１２…ＩＤタグ、１６…カメラ、１８…アンテナ、２２…アトラクション管理装置、２４…ネットワークサーバ、２６…総合情報管理センター、２７…ホストコンピュータ、３０…個別情報識別システム、３２…大容量メモリ、３４…ＰＣ端末、３６…プリンタ、４１…ＲＦＩＤアンテナ、４３…ＭＰＵ、４４…メモリ、４５…ＩＤ発行装置
【図１】
2005159558.tif 000003
【図２】
2005159558.tif 000004
【図３】
2005159558.tif 000005
【図４】
2005159558.tif 000006
【図５】
2005159558.tif 000007
【図６】
2005159558.tif 000008
【図７】
2005159558.tif 000009
【図８】
2005159558.tif 000010
【図９】
2005159558.tif 000011
【図１０】
2005159558.tif 000012
【図１１】
2005159558.tif 000013
【図１２】
2005159558.tif 000014
【図１３】
2005159558.tif 000015
【図１４】
2005159558.tif 000016
【図１５】
2005159558.tif 000017
【図１６】
2005159558.tif 000018
【図１７】
2005159558.tif 000019